(57)【要約】【課題】  端末機器、主中継器及び受信機を備える監視システムにおいて、設定データ変更の際における監視中断時間を格段に短縮することにより、人命保護・財産保全を実現させる。【解決手段】  設定データに基づいて複数の端末機器５０を制御する少なくとも一つの主中継器３０と、伝送路２０を介して主中継器３０を制御する受信機１０と、を備える監視システム１において、受信機１０は、新たな設定データを記憶させるＲＡＭ１４と、ＲＡＭ１４に記憶された設定データを圧縮して圧縮データを生成し、この圧縮データを伝送路２０を介して主中継器３０に転送するＣＰＵ１１と、を有し、主中継器３０は、圧縮データ転送手段１１により転送された圧縮データを伸長して設定データとし、この設定データをフラッシュメモリ３３に書き込むＣＰＵ３１を有する。【選択図】  図２
2005064771.tif 000002
【特許請求の範囲】
【請求項１】
所定の設定データを書替可能に記憶する記憶手段を有し、前記記憶手段に記憶された設定データに基づいて複数の端末機器を制御する少なくとも一つの主中継器と、所定の伝送路を介して前記主中継器を制御する受信機と、を備える監視システムにおいて、
前記受信機は、
新たな設定データを記憶させる設定データ記憶手段と、
前記設定データ記憶手段に記憶された前記設定データを圧縮して圧縮データを生成するデータ圧縮手段と、
前記データ圧縮手段により生成された前記圧縮データを、前記伝送路を介して前記主中継器に転送する圧縮データ転送手段と、
を有し、
前記主中継器は、
前記圧縮データ転送手段により転送された前記圧縮データを伸長して前記設定データとするデータ伸長手段と、
前記データ伸長手段により得られた前記設定データを前記記憶手段に書き込む伸長データ書込手段と、
を有することを特徴とする監視システム。
【請求項２】
所定の設定データを書替可能に記憶する記憶手段を有し、前記記憶手段に記憶された設定データに基づいて複数の端末機器を制御する少なくとも一つの主中継器と、所定の伝送路を介して前記主中継器を制御する受信機と、を備える監視システムにおいて、
前記受信機は、
新たな設定データを記憶する設定データ記憶手段と、
所定の優先データが転送されていない時間に、前記設定データ記憶手段に記憶された前記設定データを、前記伝送路を介して前記主中継器に転送する設定データ転送手段と、
を有し、
前記主中継器は、
前記設定データ転送手段により転送された前記設定データを前記記憶手段に書き込む設定データ書込手段を有することを特徴とする監視システム。
【請求項３】
前記受信機は、
所定の優先データが転送されていない時間に、前記設定データ記憶手段に記憶された前記設定データを、前記伝送路を介して前記主中継器に転送する設定データ転送手段を有し、
前記主中継器は、
前記設定データ転送手段により転送された前記設定データを前記記憶手段に書き込む設定データ書込手段を有することを特徴とする請求項１に記載の監視システム。
【請求項４】
前記受信機は、
前記端末機器及び前記主中継器を介して異常情報を検出した場合に、前記圧縮データ又は前記設定データの転送を直ちに中止して異常への対処を行うことを特徴とする請求項１から３の何れか一項に記載の監視システム。
【請求項５】
設定データを記憶する設定データ記憶部と、
前記設定データ記憶部に記憶された前記設定データを、前記伝送路を介して前記受信機及び前記主中継器に転送する設定データ転送部と、
を有するデータロード専用機を備えることを特徴とする請求項１から４の何れか一項に記載の監視システム。
【請求項６】
前記データロード専用機は、
前記優先データが転送されていない時間に、前記設定データ記憶部に記憶された前記設定データを、前記伝送路を介して前記受信機及び前記主中継器に転送することを特徴とする請求項５に記載の監視システム。
【請求項７】
前記受信機、前記主中継器及び前記データロード専用機の少なくとも何れか一は、
前記設定データの変更経過情報を記憶するデータ変更経過情報記憶手段を備えることを特徴とする請求項１から６の何れか一項に記載の監視システム。
【請求項８】
前記受信機、前記主中継器及び前記伝送路の少なくとも何れか一は、
前記データロード専用機を接続するデータロード専用機接続手段を備えることを特徴とする請求項１から６の何れか一項に記載の監視システム。
【請求項９】
所定の設定データを書替可能に記憶する記憶手段を有し、前記記憶手段に記憶された設定データに基づいて複数の端末機器を制御する少なくとも一つの主中継器と、所定の伝送路を介して前記主中継器を制御する受信機と、を備える監視システムのデータ変更方法において、
前記受信機に新たな設定データを記憶させる設定データ記憶工程と、
前記受信機で前記設定データを圧縮して圧縮データを生成するデータ圧縮工程と、
前記圧縮データを、前記伝送路を介して前記受信機から前記主中継器に転送する圧縮データ転送工程と、
転送された前記圧縮データを前記主中継器で伸長して前記設定データとするデータ伸長工程と、
前記データ伸長工程で得られた前記設定データを前記記憶手段に書き込む伸長データ書込工程と、
を備えることを特徴とする監視システムのデータ変更方法。
【請求項１０】
所定の設定データを書替可能に記憶する記憶手段を有し、前記記憶手段に記憶された設定データに基づいて複数の端末機器を制御する少なくとも一つの主中継器と、所定の設定データを書替可能に記憶する記憶手段を有し、所定の伝送路を介して前記主中継器を制御する受信機と、を備える監視システムのデータ変更方法において、
前記受信機に新たな設定データを記憶させる設定データ記憶工程と、
所定の優先データが転送されていない時間に、前記受信機で前記設定データを前記主中継器に転送する設定データ転送工程と、
転送された前記設定データを前記主中継器の前記記憶手段に書き込むとともに、前記設定データ記憶工程で記憶させた前記設定データを前記受信機の前記記憶手段に書き込む設定データ書込工程と、
を備えることを特徴とする監視システムのデータ変更方法。
【請求項１１】
所定の設定データを書替可能に記憶する記憶手段を有し、前記記憶手段に記憶された設定データに基づいて複数の端末機器を制御する少なくとも一つの主中継器と、所定の設定データを書替可能に記憶する記憶手段を有し、所定の伝送路を介して前記主中継器を制御する受信機と、所定の設定データを記憶する設定データ記憶部を有し、前記伝送路を介して前記設定データを前記受信機及び前記主中継器に転送するデータロード専用機と、を備える監視システムのデータ変更方法において、
前記データロード専用機の前記設定データ記憶部に新たな設定データを記憶させる設定データ記憶工程と、
所定の優先データが転送されていない時間に、前記データロード専用機で前記設定データを前記受信機及び前記主中継器に転送する設定データ転送工程と、
転送された前記設定データを前記受信機及び前記主中継器の前記記憶手段に書き込む設定データ書込工程と、
を備えることを特徴とする監視システムのデータ変更方法。
【発明の詳細な説明】
【技術分野】
【０００１】
本発明は、監視システム及び監視システムのデータ変更方法に関する。
【背景技術】
【０００２】
従来より、感知器等の端末機器と、これら端末機器を監視制御する主中継器と、複数の主中継器を遠隔的に集中制御する受信機と、を備えたいわゆる「Ｒ型分散監視システム」が、防災や防犯を目的として提案され、実用化されている。
【０００３】
かかるＲ型分散監視システムの端末機器は、建造物の各部屋の内部に設置されており、この端末機器に係るデータ（端末機器のアドレス・種類・設置場所、等のデータ：以下「設定データ」という）は、主中継器の記憶部と、受信機の記憶部と、の双方に記憶されている。そして、間仕切りの変更や設備変更により端末機器の設置場所の移動、増設、撤去が行われるたびに、この設定データを変更するようにしている。
【０００４】
従来は、前記した設定データを変更するために、作業者が主中継器に出向き、予め組み込まれた記憶部と、新たな設定データを記憶させた記憶部と、を差し替える作業を行っていた。しかし、かかる作業は多大な時間及び労力を要するため、近年においては、受信機の記憶部に記憶された設定データを、所定の伝送路を介して主中継器に転送し、転送した設定データを主中継器の記憶部に書き込む技術が提案されている（例えば、特許文献１参照。）。
【特許文献１】特開平２−３９６４８号公報（第２頁、第１図）
【発明の開示】
【発明が解決しようとする課題】
【０００５】
ところが、前記したように受信機から主中継器に設定データを転送する従来の技術を採用すると、設定データ転送中に「監視」を行うことができないという問題がある。特に、主中継器の数が増加すると設定データの容量も大きくなるため、設定データ転送時間が長くなり、必然的に監視中断時間も長くなってしまう。このため、多数の主中継器を有する大規模な建造物ほど監視中断時間が長くなり、人命保護・財産保全といったＲ型分散監視システムの主たる目的が達成されないおそれがあった。また、受信機は防災センタに設置されるのが一般的であるが、前記したように受信機から主中継器に設定データを転送している間は防災センタの各種業務が妨げられるという問題があった。
【０００６】
本発明の課題は、端末機器、主中継器及び受信機を備える監視システムにおいて、設定データ変更の際における監視中断時間を格段に短縮することにより、人命保護・財産保全に寄与することである。
【課題を解決するための手段】
【０００７】
以上の課題を解決するため、請求項１に記載の発明は、
所定の設定データを書替可能に記憶する記憶手段を有し、前記記憶手段に記憶された設定データに基づいて複数の端末機器を制御する少なくとも一つの主中継器と、所定の伝送路を介して前記主中継器を制御する受信機と、を備える監視システムにおいて、
前記受信機は、
新たな設定データを記憶させる設定データ記憶手段と、
前記設定データ記憶手段に記憶された前記設定データを圧縮して圧縮データを生成するデータ圧縮手段と、
前記データ圧縮手段により生成された前記圧縮データを、前記伝送路を介して前記主中継器に転送する圧縮データ転送手段と、
を有し、
前記主中継器は、
前記圧縮データ転送手段により転送された前記圧縮データを伸長して前記設定データとするデータ伸長手段と、
前記データ伸長手段により得られた前記設定データを前記記憶手段に書き込む伸長データ書込手段と、
を有することを特徴とする。
【０００８】
請求項１に記載の発明によれば、受信機は、新たな設定データを圧縮して圧縮データを生成し、この圧縮データを主中継器に転送する。そして、主中継器は、転送された圧縮データを伸長して設定データとし、この設定データを記憶手段に書き込む。すなわち、設定データを圧縮してデータサイズを縮小した上で転送するため、データ転送時間を格段に短縮することができる。従って、監視中断時間を格段に短縮することができるので、異常（火災の発生や不審者の侵入）を迅速に検出して対応することができる。この結果、人命保護・財産保全に良好に寄与することができる。
【０００９】
請求項２に記載の発明は、
所定の設定データを書替可能に記憶する記憶手段を有し、前記記憶手段に記憶された設定データに基づいて複数の端末機器を制御する少なくとも一つの主中継器と、所定の伝送路を介して前記主中継器を制御する受信機と、を備える監視システムにおいて、
前記受信機は、
新たな設定データを記憶する設定データ記憶手段と、
所定の優先データが転送されていない時間に、前記設定データ記憶手段に記憶された前記設定データを、前記伝送路を介して前記主中継器に転送する設定データ転送手段と、
を有し、
前記主中継器は、
前記設定データ転送手段により転送された前記設定データを前記記憶手段に書き込む設定データ書込手段を有することを特徴とする。
【００１０】
請求項２に記載の発明によれば、受信機は、所定の優先データが転送されていない時間に、新たな設定データを主中継器に転送する。そして、主中継器は、転送された設定データを記憶手段に書き込む。すなわち、優先データが転送されていない空き時間を有効に利用して設定データを転送するので、監視中断時間を格段に短縮することができる。従って、異常を迅速に検出して対応することができるので、人命保護・財産保全に良好に寄与することができる。
【００１１】
請求項３に記載の発明は、請求項１に記載の監視システムにおいて、
前記受信機は、
所定の優先データが転送されていない時間に、前記設定データ記憶手段に記憶された前記設定データを、前記伝送路を介して前記主中継器に転送する設定データ転送手段を有し、
前記主中継器は、
前記設定データ転送手段により転送された前記設定データを前記記憶手段に書き込む設定データ書込手段を有することを特徴とする。
【００１２】
請求項３に記載の発明によれば、請求項１に記載の発明の作用効果と、請求項２に記載の発明の作用効果と、の双方を奏することができる。すなわち、設定データを圧縮してデータサイズを縮小した上で転送するため、データ転送時間を格段に短縮することができることに加え、優先データが転送されていない空き時間を有効に利用して設定データを転送するので、監視中断時間を格段に短縮することができる。この結果、異常を迅速に検出して対応することができ、人命保護・財産保全に大きく寄与することができる。
【００１３】
請求項４に記載の発明は、請求項１から３の何れか一項に記載の監視システムにおいて、
前記受信機は、
前記端末機器及び前記主中継器を介して異常情報を検出した場合に、前記圧縮データ又は前記設定データの転送を直ちに中止して異常への対処を行うことを特徴とする。
【００１４】
請求項４に記載の発明によれば、受信機は、端末機器及び主中継器を介して異常情報を検出した場合に、圧縮データ又は設定データの転送を直ちに中止して異常への対処を行う。このため、データ転送時に火災等の異常が検出された場合に、その異常に迅速に対応することができる。
【００１５】
請求項５に記載の発明は、請求項１から４の何れか一項に記載の監視システムにおいて、
設定データを記憶する設定データ記憶部と、
前記設定データ記憶部に記憶された前記設定データを、前記伝送路を介して前記受信機及び前記主中継器に転送する設定データ転送部と、
を有するデータロード専用機を備えることを特徴とする。
【００１６】
請求項５に記載の発明によれば、設定データを記憶する設定データ記憶部と、設定データ記憶部に記憶された設定データを、伝送路を介して受信機及び主中継器に転送する設定データ転送部と、を有するデータロード専用機を備える。従って、受信機と異なる場所から設定データを転送することもできるので、受信機が設置されているセンタ（例えば防災センタ）の各種業務が妨げられることがない。
【００１７】
請求項６に記載の発明は、請求項５に記載の監視システムにおいて、
前記データロード専用機は、
前記優先データが転送されていない時間に、前記設定データ記憶部に記憶された前記設定データを、前記伝送路を介して前記受信機及び前記主中継器に転送することを特徴とする。
【００１８】
請求項７に記載の発明は、請求項１から６の何れか一項に記載の監視システムにおいて、
前記受信機、前記主中継器及び前記データロード専用機の少なくとも何れか一は、
前記設定データの変更経過情報を記憶するデータ変更経過情報記憶手段を備えることを特徴とする。
【００１９】
請求項７に記載の発明によれば、受信機、主中継器及びデータロード専用機の少なくとも何れか一が、設定データの変更経過情報を記憶するデータ変更経過情報記憶手段を備えるので、優先データが転送されることにより設定データ変更動作が中断された場合においても、この設定データ変更動作を容易に再開することができる。
【００２０】
請求項８に記載の発明は、請求項１から７の何れか一項に記載の監視システムにおいて、
前記受信機、前記主中継器及び前記伝送路の少なくとも何れか一は、
前記データロード専用機を接続するデータロード専用機接続手段を備えることを特徴とする。
【００２１】
請求項８に記載の発明によれば、受信機、主中継器及び伝送路の少なくとも何れか一にデータロード専用機を接続して、設定データの変更を行うことができる。
【００２２】
請求項９に記載の発明は、
所定の設定データを書替可能に記憶する記憶手段を有し、前記記憶手段に記憶された設定データに基づいて複数の端末機器を制御する少なくとも一つの主中継器と、所定の伝送路を介して前記主中継器を制御する受信機と、を備える監視システムのデータ変更方法において、
前記受信機に新たな設定データを記憶させる設定データ記憶工程と、
前記受信機で前記設定データを圧縮して圧縮データを生成するデータ圧縮工程と、
前記圧縮データを、前記伝送路を介して前記受信機から前記主中継器に転送する圧縮データ転送工程と、
転送された前記圧縮データを前記主中継器で伸長して前記設定データとするデータ伸長工程と、
前記データ伸長工程で得られた前記設定データを前記記憶手段に書き込む伸長データ書込工程と、
を備えることを特徴とする。
【００２３】
請求項９に記載の発明によれば、受信機に新たな設定データを記憶させ、この記憶させた設定データを圧縮して圧縮データを生成し、この圧縮データを主中継器に転送する。そして、転送された圧縮データを主中継器で伸長して設定データとし、この設定データを主中継器の記憶手段に書き込む。すなわち、設定データを圧縮してデータサイズを縮小した上で転送するため、データ転送時間を格段に短縮することができる。従って、監視中断時間を格段に短縮することができるので、異常（火災の発生や不審者の侵入）を迅速に検出して対応することができる。この結果、人命保護・財産保全に寄与することができる。
【００２４】
請求項１０に記載の発明は、
所定の設定データを書替可能に記憶する記憶手段を有し、前記記憶手段に記憶された設定データに基づいて複数の端末機器を制御する少なくとも一つの主中継器と、所定の設定データを書替可能に記憶する記憶手段を有し、所定の伝送路を介して前記主中継器を制御する受信機と、を備える監視システムのデータ変更方法において、
前記受信機に新たな設定データを記憶させる設定データ記憶工程と、
所定の優先データが転送されていない時間に、前記受信機で前記設定データを前記主中継器に転送する設定データ転送工程と、
転送された前記設定データを前記主中継器の前記記憶手段に書き込むとともに、前記設定データ記憶工程で記憶させた前記設定データを前記受信機の前記記憶手段に書き込む設定データ書込工程と、
を備えることを特徴とする監視システムの。
【００２５】
請求項１０に記載の発明によれば、受信機に新たな設定データを記憶させ、所定の優先データが転送されていない時間に、この記憶させた設定データを主中継器に転送する。そして、転送された新たな設定データを、主中継器の記憶手段に書き込む。すなわち、優先データが転送されていない空き時間を有効に利用して設定データを転送するので、監視中断時間を格段に短縮することができる。従って、異常を迅速に検出して対応することができるので、人命保護・財産保全に寄与することができる。
【００２６】
請求項１１に記載の発明は、
所定の設定データを書替可能に記憶する記憶手段を有し、前記記憶手段に記憶された設定データに基づいて複数の端末機器を制御する少なくとも一つの主中継器と、所定の設定データを書替可能に記憶する記憶手段を有し、所定の伝送路を介して前記主中継器を制御する受信機と、所定の設定データを記憶する設定データ記憶部を有し、前記伝送路を介して前記設定データを前記受信機及び前記主中継器に転送するデータロード専用機と、を備える監視システムのデータ変更方法において、
前記データロード専用機の前記設定データ記憶部に新たな設定データを記憶させる設定データ記憶工程と、
所定の優先データが転送されていない時間に、前記データロード専用機で前記設定データを前記受信機及び前記主中継器に転送する設定データ転送工程と、
転送された前記設定データを前記受信機及び前記主中継器の前記記憶手段に書き込む設定データ書込工程と、
を備えることを特徴とする。
【００２７】
請求項１１に記載の発明によれば、データロード専用機の設定データ記憶部に新たな設定データを記憶させ、所定の優先データが転送されていない時間に、この記憶させた設定データを受信機及び主中継器に転送する。そして、転送された新たな設定データを、受信機及び主中継器の記憶手段に書き込む。従って、受信機と異なる場所から設定データを転送することもできるので、受信機が設置されているセンタ（例えば防災センタ）の各種業務が妨げられることがない。
【発明の効果】
【００２８】
本発明によれば、端末機器、主中継器及び受信機を備える監視システムにおいて、設定データ変更の際における監視中断時間を格段に短縮することができるので、人命保護・財産保全に大きく寄与することができる。
【発明を実施するための最良の形態】
【００２９】
以下、図を参照して本発明の実施の形態について詳細に説明する。なお、本実施の形態においては、本発明に係る「監視システム」の例として、火災発生信号を検出した場合にベル等を作動させて火災発生を報知する「火災報知設備」を挙げて説明することとする。
【００３０】
まず、本実施の形態に係る火災報知設備１の構成について、図１及び図２を用いて説明する。
【００３１】
本実施の形態に係る火災報知設備１は、受信機１０と、この受信機１０に伝送路２０を介して接続されたｎ個の主中継器３０と、各主中継器３０に信号線４０を介して接続された端末機器５０（感知器５１、ベル５２、防排煙機器５３、ガス漏検知器５４等）と、を備えて構成されている（図１参照）。
【００３２】
火災報知設備１では、主中継器３０が信号線４０を介して端末機器５０を集中制御するとともに、受信機１０が伝送路２０を介して各主中継器３０を遠隔的に集中制御している。なお、本実施の形態においては、受信機１０と各主中継器３０とをリング状に接続してネットワークを構築し、このネットワーク上にトークンを巡回させて通信を行う、いわゆる「トークンループ伝送方式」を採用している。
【００３３】
受信機１０は、ＣＰＵ１１、ＲＯＭ１２、フラッシュメモリ１３、ＲＡＭ１４、操作手段１５、表示手段１６、通信手段１７、カードスロット１８、等を備えて構成されている（図２参照）。
【００３４】
ＣＰＵ１１は、ＲＯＭ１２内の制御プログラムを実行することにより、受信機１０自体を制御するとともに、端末機器５０を介して火災監視を行うように各主中継器３０を集中制御する。また、ＣＰＵ１１は、後述するように、本発明におけるデータ圧縮手段、圧縮データ転送手段、設定データ転送手段としての機能を果たすものである。
【００３５】
ＲＯＭ１２は、受信機１０自体を制御する各種制御プログラムや、主中継器３０を集中制御するための各種制御プログラム格納するものである。
【００３６】
フラッシュメモリ１３は、本発明における記憶手段であり、各主中継器３０の制御対象となる端末機器５０に係るデータ（設定データ）や、受信機１０や主中継器３０の制御に必要な各種データを格納する書替可能な不揮発メモリである。受信機１０のＣＰＵ１１は、フラッシュメモリ１３に格納された設定データに基づいて、主中継器３０を介して端末機器５０を制御する。フラッシュメモリ１３に格納される設定データとしては、端末機器５０のアドレス、種類、設置場所（棟、階、区画番号、部屋番号、部屋名等）、感度、作動時の連絡先、入力（火災信号等）と出力（ベル鳴動のための指令信号等）との相関関係、等のデータを挙げることができる。
【００３７】
ＲＡＭ１４は、後述するメモリカード６０から読み込まれた設定データやこの設定データを圧縮して生成した圧縮データを一時的に記憶する記憶領域を有するものである。すなわち、ＲＡＭ１４は、本発明における設定データ記憶手段である。また、ＲＡＭ１４は、ＲＯＭ１２内の制御プログラムを展開するための作業領域と、ＣＰＵ１１に対する所定の指令信号を受けて主中継器３０を制御する際にフラッシュメモリ１３から読み込まれた各種データを一時的に記憶する記憶領域と、をも有している。
【００３８】
操作手段１５は、操作されることによりＣＰＵ１１に対して所定の指令信号（設定データ圧縮指令信号や設定データ転送指令信号等）を送出するものである。表示手段１６は、設定データの内容・圧縮状況・転送状況等を表示するものである。通信手段１７は、主中継器３０のデータ通信動作を制御し、データの転送・受信等を行うものである。カードスロット１８は、設定データを格納したメモリカード６０を装着するためのものである。
【００３９】
ＣＰＵ１１は、操作手段１５の操作によりデータ読込指令信号を受けた場合に、カードスロット１８に装着されたメモリカード６０から設定データを読み込み、この読み込んだ設定データをＲＡＭ１４に一時的に記憶させる。
【００４０】
また、ＣＰＵ１１は、操作手段１５の操作により設定データ圧縮指令信号を受けた場合に、ＲＯＭ１２内のデータ圧縮プログラムを起動することにより、設定データに可逆圧縮を施して圧縮データを生成する。そして、生成した圧縮データを、ＲＡＭ１４内の圧縮データ専用領域に一次的に記憶させる。すなわち、ＣＰＵ１１は、本発明におけるデータ圧縮手段である。本実施の形態においては、「適応型ハフマン符号法」によって設定データの可逆圧縮を行っている。なお、適応型ハフマン符号法以外の可逆圧縮方法を用いて設定データの可逆圧縮を行うこともできる。
【００４１】
また、ＣＰＵ１１は、操作手段１５の操作により圧縮データ転送指令信号を受けた場合に、ＲＯＭ１２内の圧縮データ転送プログラムを起動することにより、ＲＡＭ１４内の圧縮データ専用領域に記憶させた圧縮データを、伝送路２０を介して主中継器３０に転送する。すなわち、ＣＰＵ１１は、本発明における圧縮データ転送手段である。なお、ＣＰＵ１１は、圧縮データ転送中は火災監視動作を中断し、圧縮データの転送が終了した場合に火災監視コマンドを主中継器３０に送出して、火災監視動作を再開させる。
【００４２】
また、ＣＰＵ１１は、操作手段１５の操作により設定データ転送指令信号を受けた場合に、ＲＯＭ１２内の設定データ転送プログラムを起動することにより、所定の優先データの転送が行われていない時間に、ＲＡＭ１４に記憶させた設定データを、伝送路２０を介して主中継器３０に転送する。すなわち、ＣＰＵ１１は、本発明における設定データ転送手段である。なお、ＣＰＵ１１は、設定データ転送中においても火災監視動作を続行する。
【００４３】
ここで、「優先データ」としては、端末機器５０からの火災検出情報、防排煙機器作動情報及び／又は端末機器５０の故障情報等や、受信機１０、主中継器３０及び／又は伝送路２０等のシステム全体に関わる異常情報等や、前記した火災検出情報等に対応して受信機１０から主中継器３０に転送されるベル鳴動指令情報等を挙げることができる。
【００４４】
また、ＣＰＵ１１は、端末機器５０及び主中継器３０を介して異常情報（例えば、火災検出情報等の優先データ）を検出した場合に、ＲＯＭ１２内の優先対処プログラムを起動することにより、圧縮データ又は設定データの転送を直ちに中止して、異常に対処するためのデータ（例えばベル鳴動指令情報）を主中継器３０に転送する。
【００４５】
主中継器３０は、ＣＰＵ３１、ＲＯＭ３２、フラッシュメモリ３３、ＲＡＭ３４、操作手段３５、表示手段３６、通信手段３７、等を備えて構成されている（図２参照）。
【００４６】
ＣＰＵ３１は、主中継器３０を統合制御するものであり、後述するように、本発明におけるデータ伸長手段、伸長データ書込手段及び設定データ書込手段としての機能を果たすものである。ＲＯＭ３２は、主中継器３０自体を制御するための制御プログラムや、端末機器５０を監視制御するための制御プログラムを格納するものである。
【００４７】
フラッシュメモリ３３は、本発明における記憶手段であり、設定データや主中継器３０の制御に必要な各種データを格納する書替可能な不揮発メモリである。主中継器３０のＣＰＵ３１は、フラッシュメモリ３３に格納された設定データに基づいて、端末機器５０を制御する。フラッシュメモリ３３に格納される設定データは、受信機１０のフラッシュメモリ１３に格納される設定データと同様である。
【００４８】
ＲＡＭ３４は、受信機１０から転送された圧縮データや設定データ（圧縮データを伸長させて得たものを含む）を一時的に記憶する記憶領域と、を有するものである。また、ＲＡＭ３４は、ＲＯＭ３２内の制御プログラムを展開するための作業領域と、フラッシュメモリ３３から読み込まれた各種データを一時的に記憶する記憶領域と、をも有している。
【００４９】
操作手段３５は、操作されることにより、ＣＰＵ３１に対して所定の指令信号（データ伸長指令信号やデータ書込指令信号等）を送出するものである。表示手段３６は、設定データの内容・伸長状況・書替状況等を表示するものである。通信手段３７は、受信機１０とのデータ通信動作を制御し、データの転送・受信等を行うものである。
【００５０】
ＣＰＵ３１は、受信機１０から転送された圧縮データが適正であるか否かを判断し、適正である場合に、圧縮データをＲＡＭ３４に一次的に記憶させる。そして、ＣＰＵ３１は、ＲＯＭ３２内のデータ伸長プログラムを起動することにより、ＲＡＭ３４に記憶させた圧縮データを伸長して設定データとするとともに、この設定データをＲＡＭ３４内の伸長データ専用領域に記憶させる。すなわち、ＣＰＵ３１は、本発明におけるデータ伸長手段である。
【００５１】
また、ＣＰＵ３１は、ＲＯＭ３２内の伸長データ書込プログラムを起動することにより、ＲＡＭ３４内の伸長データ専用領域に記憶させた設定データを、フラッシュメモリ３３に書き込む。これにより、フラッシュメモリ３３に予め書き込まれていた設定データは、転送され伸長されて得られた新たな設定データに書き替えられる。すなわち、ＣＰＵ３１は、本発明における伸長データ書込手段である。
【００５２】
また、ＣＰＵ３１は、受信機１０から転送された設定データが適正であるか否かを判断し、適正である場合に、設定データをＲＡＭ３４に一時的に記憶させる。また、ＣＰＵ３１は、ＲＯＭ３２内のデータ書込プログラムを起動することにより、ＲＡＭ３４に記憶させた設定データをフラッシュメモリ３３に書き込む。これにより、フラッシュメモリ３３に予め書き込まれていた設定データは、転送された新たな設定データに書き替えられる。すなわち、ＣＰＵ３１は、本発明における設定データ書込手段である。
【００５３】
次に、本実施の形態に係る火災報知設備１を用いた設定データ変更方法について、図３及び図４のフローチャートを用いて説明する。
【００５４】
＜第１の設定データ変更方法＞
最初に、図３のフローチャートを用いて、第１の設定データ変更方法について説明する。本方法は、受信機１０で設定データを圧縮してデータサイズの小さい圧縮データを生成し、この圧縮データを主中継器３０に転送し、転送された圧縮データを主中継器３０で伸長してデータ変更を行う方法である。
【００５５】
まず、新たな設定データを格納したメモリカード６０を、受信機１０のカードスロット１８に装着する。すると、受信機１０のＣＰＵ１１は、操作手段１５の操作によるデータ読取指令信号を受けて、メモリカード６０に格納された新たな設定データを読み取り、読み取った設定データをＲＡＭ１４に一時的に記憶させる（設定データ記憶工程：Ｓ１０）
【００５６】
次いで、作業者は、操作手段１５を操作することにより、受信機１０のＣＰＵ１１に対して、データ圧縮指令信号を送出する。このデータ圧縮指令信号を受けた受信機１０のＣＰＵ１１は、ＲＡＭ１４に記憶された設定データに可逆圧縮を施して圧縮データを生成し、この圧縮データをＲＡＭ１４の圧縮データ専用領域に記憶させる（設定データ圧縮工程：Ｓ１１）。
【００５７】
次いで、作業者は、操作手段１５を操作することにより、受信機１０のＣＰＵ１１に対して、圧縮データ転送指令信号を送出する。この圧縮データ転送指令信号を受けた受信機１０のＣＰＵ１１は、ＲＡＭ１４の圧縮データ専用領域に記憶させた圧縮データを、伝送路２０を介して主中継器３０に転送する（圧縮データ転送工程：Ｓ１２）。ＣＰＵ１１は、圧縮データ転送中においては火災監視動作を中断する。
【００５８】
次いで、主中継器３０のＣＰＵ３１は、受信機１０から転送された圧縮データが適正であるか否かを判断する。そして、転送された圧縮データが適正である場合に、この圧縮データを伸長して設定データとして、ＲＡＭ３４の伸長データ専用領域に記憶させる（圧縮データ伸長工程：Ｓ１３）。
【００５９】
次いで、主中継器３０のＣＰＵ３１は、転送され伸長されて得られた新たな設定データをフラッシュメモリ３３に書き込む（設定データ更新工程：Ｓ１４）。以上の工程群により、設定データ変更が実現される。なお、受信機１０のＣＰＵ１１は、圧縮データ転送終了後に、主中継器３０に対して火災監視コマンドを送出して、火災監視動作を再開させる。
【００６０】
従来の設定データ変更方法（圧縮処理が施されていない設定データを転送してデータ変更を行う方法）を採用した場合には、３０台の主中継器に設定データを転送するために約１時間３０分を要しており、その間、火災監視動作が中断されていた。これに対して、本実施の形態における第１の設定データ変更方法を同じ条件で採用すると、約１０分で設定データの転送を終了させることができるので、火災監視中断時間を大幅に短縮することができる。
【００６１】
＜第２の設定データ変更方法＞
続いて、図４のフローチャートを用いて、第２の設定データ変更方法について説明する。本方法は、優先データを転送していない時間に設定データを転送してデータ変更を行う方法である。
【００６２】
まず、新たな設定データを格納したメモリカード６０を、受信機１０のカードスロット１８に装着する。すると、受信機１０のＣＰＵ１１が、操作手段１５の操作によるデータ読取指令信号を受けて、メモリカード６０に格納された新たな設定データを読み取り、読み取った設定データをＲＡＭ１４に一時的に記憶させる（設定データ記憶工程：Ｓ２０）。
【００６３】
次いで、作業者は、操作手段１５を操作することにより、受信機１０のＣＰＵ１１に対して、設定データ転送指令信号を送出する（設定データ転送指示工程：Ｓ２１）。この設定データ転送指令信号を受けたＣＰＵ１１は、ＲＯＭ１２内の優先データ判定プログラムを起動させて、受信機１０から主中継器３０へと転送される優先データがあるか否かを判定する（優先データ判定工程：Ｓ２２）。
【００６４】
受信機１０のＣＰＵ１１は、優先データ判定工程Ｓ２２において優先データがあると判定した場合に、その優先データを、伝送路２０を介して主中継器３０に転送する（優先データ転送工程：Ｓ２３）。この場合、主中継器３０は、転送された優先データに基づいて、ベル５２や防排煙機器５３等の端末機器５０を駆動制御する。
【００６５】
一方、受信機１０のＣＰＵ１１は、優先データ判定工程Ｓ２２において優先データがないと判定した場合に、ＲＡＭ１４に記憶させた設定データを、伝送路２０を介して主中継器３０に転送する（設定データ転送工程：Ｓ２４）。主中継器３０のＣＰＵ３１は、受信機１０から転送された設定データが適正であるか否かを判断し、適正である場合に、設定データをＲＡＭ３４に一次的に記憶させる。
【００６６】
設定データ転送工程Ｓ２３を経た後、受信機１０のＣＰＵ１１は、設定データの転送が終了したか否かを判定する（転送終了判定工程：Ｓ２５）。そして、受信機１０のＣＰＵ１１は、設定データの転送が終了したと判定されるまで、前記した優先データ判定工程Ｓ２２及び設定データ転送工程Ｓ２４を繰り返す。
【００６７】
転送終了判定工程Ｓ２５において、設定データの転送が終了したと判定された場合に、受信機１０のＣＰＵ１１は、主中継器３０に対して、データ更新コマンドを送出する（データ更新指示工程：Ｓ２６）。データ更新コマンドを受けた主中継器３０のＣＰＵ３１は、転送されてＲＡＭ３４に記憶された新たな設定データをフラッシュメモリ３３に書き込む（設定データ書込工程：Ｓ２７）。以上の工程群により、設定データ変更が実現される。
【００６８】
３０台の主中継器の設定データを変更する際に、従来の設定データ変更方法（設定データを単に転送してデータ変更を行う方法）を採用すると、データ転送に約１時間３０分を要しており、その間、火災監視動作が中断されていた。これに対して、本実施の形態における第２の設定データ変更方法を同じ条件において採用すると、データ転送時に火災監視動作を中断させる必要がなく、設定データ書替に要するわずかな時間（約１０秒）に火災監視動作を中断するだけでよいので、火災監視中断時間を大幅に短縮することができる。
【００６９】
以上説明した実施の形態に係る火災報知設備１においては、受信機１０が設定データを圧縮して圧縮データを生成し、伝送路２０を介してこの圧縮データを主中継器３０に転送する。そして、主中継器３０は、転送された圧縮データを伸長して設定データとし、この設定データをフラッシュメモリ３３に書き込む。すなわち、設定データを圧縮してデータサイズを縮小した上で転送するため、データ転送時間を格段に短縮することができる。従って、火災監視中断時間を格段に短縮することができるので、火災の発生を迅速に検出して対応することができる。この結果、人命保護・財産保全に良好に寄与することができる。
【００７０】
また、以上説明した実施の形態に係る火災報知設備１においては、受信機１０が、優先データが転送されていない時間に、伝送路２０を介して設定データを主中継器３０に転送する。そして、主中継器３０は、転送された設定データをフラッシュメモリ３３に書き込む。すなわち、優先データが転送されていない空き時間を有効に利用して設定データを転送するので、火災監視中断時間を格段に短縮することができる。従って、火災の発生を迅速に検出して対応することができるので、人命保護・財産保全に良好に寄与することができる。
【００７１】
また、以上説明した実施の形態に係る火災報知設備１においては、受信機１０が、端末機器５０及び主中継器３０を介して異常情報を検出した場合に、圧縮データ又は設定データの転送を直ちに中止して異常への対処を行う。このため、データ転送時に火災等の異常が検出された場合に、その異常に迅速に対応することができる。
【００７２】
なお、以上の実施の形態においては、受信機１０にメモリカード６０を装着し、このメモリカード６０に格納された設定データを読み込んで主中継器３０に転送する方式を採用したが、データロード専用機７０を伝送路２０上に設け、このデータロード専用機７０から設定データを受信機１０及び主中継器３０に転送する方式を採用することもできる（図５参照）。
【００７３】
データロード専用機７０としては、設定データを記憶する設定データ記憶部としてのメモリと、このメモリに記憶された設定データを、伝送路２０を介して主中継器３０に転送する設定データ転送部としてのＣＰＵと、を備えるパソコン等を採用することができる。従って、受信機１０と異なる場所から設定データを転送することができる。通常、受信機１０は防災センタに設置されているので、このようなデータロード専用機７０を採用することにより、防災センタの各種業務が妨げられることがない。
【００７４】
また、前記したデータロード専用機７０のメモリに、設定データの変更経過情報を記憶させることもできる。この場合、データロード専用機７０のメモリは、本発明におけるデータ変更経過情報記憶手段として機能することとなる。このようにデータロード専用機７０のメモリに設定データの変更経過情報を記憶させると、優先データが転送されることにより設定データ変更動作が中断された場合においても、この設定データ変更動作を容易に再開することができる。
【００７５】
また、受信機１０のフラッシュメモリ１３や、主中継器３０のフラッシュメモリ３３に、設定データの変更経過情報を記憶させてもよい。この場合、フラッシュメモリ１３、３３は、本発明におけるデータ変更経過情報記憶手段として機能することとなる。
【００７６】
また、データロード専用機７０を伝送路２０上に設ける代わりに、受信機１０又は主中継器３０にデータロード専用機７０を接続させるための専用端子（データロード専用機接続手段）を設け、この専用端子にデータロード専用機７０を接続して、設定データ変更を行うこともできる。
【００７７】
また、以上の実施の形態においては、受信機１０のカードスロット１８にメモリカード６０を装着し、このメモリカード６０に格納された設定データを読み込んでＲＡＭ１４に一時的に記憶させる方式を採用したが、パソコン等の端末装置で作成した設定データを、通信手段を介して受信機１０に送信し、この送信された設定データをＲＡＭ１４に一時的に記憶させる方式を採用することもできる。
【００７８】
また、以上の実施の形態においては、受信機１０及び主中継器３０にＲＡＭを１個ずつ設けた例を示したが、これら受信機１０及び主中継器３０に各々複数のＲＡＭを設けてもよい。例えば、受信機１０に、火災監視用のＲＡＭ（火災監視時の制御プログラムの作業を実行し各種データを記憶させるＲＡＭ）と、設定データ圧縮用のＲＡＭ（設定データを圧縮して生成した圧縮データを記憶させるＲＡＭ）と、を設け、主中継器３０に、火災監視用のＲＡＭと、設定データ伸長用のＲＡＭ（圧縮データを伸長して得た設定データを記憶させるＲＡＭ）と、を設けた場合でも、本発明の効果を奏することができる。
【００７９】
また、以上の実施の形態においては、受信機１０と各主中継器３０とをリング状に接続してネットワークを構築し、いわゆる「トークンループ伝送方式」で通信を行う例を示したが、受信機１０と各主中継器３０との接続方式や通信方式はこれに限られるものではない。
【００８０】
また、以上の実施の形態においては、本発明に係る監視システムの一例として、火災を検出した場合に自動的にベルを鳴動させる「火災報知設備」を示したが、その他の監視システムに本発明を適用することもできる。例えば、火災を検出した際に自動的に消火処理を行う「消火設備」や、不審者が侵入した場合に自動的にベルを鳴動させる「防犯システム」に本発明を適用することができる。
【図面の簡単な説明】
【００８１】
【図１】本発明の実施の形態に係る火災報知設備の全体構成を説明するための系統図である。
【図２】図１に示した火災報知設備の受信機及び主中継器の構成を説明するためのブロック図である。
【図３】図１に示した火災報知設備を用いた第１の設定データ変更方法を説明するためのフローチャートである。
【図４】図１に示した火災報知設備を用いた第２の設定データ変更方法を説明するためのフローチャートである。
【図５】図１に示した火災報知設備の伝送路上にデータロード専用機を設けた例を示す系統図である。
【符号の説明】
【００８２】
１      火災報知設備（監視システム）
１０      受信機
１１      ＣＰＵ（データ圧縮手段、圧縮データ転送手段、設定データ転送手段）
１４      ＲＡＭ（設定データ記憶手段）
２０      伝送路
３０      主中継器
３１      ＣＰＵ（データ伸長手段、伸長データ書込手段、設定データ書込手段）
３３      フラッシュメモリ（記憶手段）
５０      端末機器
７０      データロード専用機
Ｓ１０    設定データ記憶工程
Ｓ１１    データ圧縮工程
Ｓ１２    圧縮データ転送工程
Ｓ１３    データ伸長工程
Ｓ１４    伸長データ書込工程
Ｓ２０    設定データ記憶工程
Ｓ２４    設定データ転送工程
Ｓ２７    設定データ書込工程
【図１】
2005064771.tif 000003
【図２】
2005064771.tif 000004
【図３】
2005064771.tif 000005
【図４】
2005064771.tif 000006
【図５】
2005064771.tif 000007